(57)【要約】【課題】本体各部のスペースを充分に確保しつつ、画面表示可能な表示部を当該遊技者から視認容易とし且つ周囲の視線から遮蔽可能とした遊技機を提供する。【解決手段】パチンコ遊技機１において、上皿５４の貯留部５４ａの一部を本体側のガラス扉枠４より離間して形成することによって貯留部５４ａとガラス扉枠４との間に空間部５４ｈを形成すると共に、空間部５４ｈ内に図柄変動表示装置５７を配設したので、遊技領域等の本体各部のスペースを充分に確保しつつ、図柄変動表示装置５７を当該遊技者から視認容易とし且つ周囲の視線から遮蔽可能とすることができる。【選択図】図１
2010162422.tif 000002
【特許請求の範囲】
【請求項１】
遊技球を媒体として所定の遊技が実行されると共に遊技球を賞球として払出すように構成された本体と、その本体より払い出された遊技球及び遊技者により投入された遊技球を貯留する貯留部、前記本体より払い出された遊技球を前記貯留部へ流入させる流入口、及び前記貯留部に貯留された遊技球を前記本体側へ供給する供給口を有する上皿と、画面表示可能な表示部と、を備えた遊技機において、
前記上皿の貯留部の一部を前記本体より離間して形成することによって前記貯留部と前記本体との間に空間部を形成すると共に、その空間部内に前記表示部の少なくとも一部を配設したことを特徴とする遊技機。
【発明の詳細な説明】
【技術分野】
【０００１】
本発明は、遊技機に関し、特に、遊技球を媒体として所定の遊技が実行されると共に遊技球を賞球として上皿へ払い出すように構成されると共に画面表示可能な表示部を備えたパチンコ遊技機やパチロット遊技機に関するものである。
【背景技術】
【０００２】
従来より、パチンコ遊技機には、遊技球が打ち込まれる遊技領域内に図柄を変動表示させる液晶ディスプレイ等からなる図柄変動表示装置を備えたパチンコ遊技機がある。このようなパチンコ遊技機は、遊技領域内に作動チャッカー（始動入賞口とも称される）が配置され、作動チャッカーに遊技球が入賞すると、図柄変動表示装置において複数の図柄表示が変動した後、所定の組み合わせになって停止した場合に、遊技者にとって有利な状態（例えば大当たり）が到来するように構成されている。このような図柄変動表示装置を備えるパチンコ遊技機の場合、多彩な表示内容が表示され、遊技内容が変化に富むものになるため、遊技者の興趣を増大させることができる。
【０００３】
しかし、同様な遊技機が遊技店に多数設置されると、遊技者の人気の移り変わりによって、流行の隆盛下降が激しくなる。そのため、人気が無くなって商品価値が少なくなった遊技機については、早く処理処分されることが多くなったが、ゴミ問題の関係上、その対策の必要性が高まってきた。このような点に鑑みて、従来、表示装置を構成する表示部と制御部とを別体とするとともに、表示部を遊技領域以外の上皿と遊技領域との間に配置したパチンコ遊技機が提案されている（例えば、特許文献１参照。）。かかるパチンコ遊技機によれば、図柄変動表示装置の制御部と表示部との分離を容易にすることができる。そのため、遊技機の製品寿命の終了後、図柄変動表示装置の制御部と表示部とが分離しやすくなり、制御部及び表示部において、リサイクルしやすい部品等と、リサイクルしにくい部品等とが分別しやすくなって、図柄変動表示装置全体として効率的なリサイクルを促進することができるという利点や、遊技を行う遊技者が、上皿と遊技領域との間に配置される図柄変動表示装置を見れば、上皿及び遊技領域等が、視界の中に入って見やすくなるという利点がある。
【０００４】
一方、従来より、パチンコ機等の遊技機で遊技を行う遊技者に対して宣伝広告やお知らせ等の情報を画面表示するように構成された遊技機が提案されている。例えば、パチンコ遊技機の遊技領域の略中央に図柄変動表示装置を配設すると共に、これとは別に、遊技場側から送信されるニュース、天気予報、広告情報、お知らせ等を表示するための情報表示部を遊技領域内の下部に配設するようにした技術が提案されている（例えば、特許文献２参照。）。
【０００５】
また、遊技場に設置された管理装置が、外部の情報サーバから所定の表示条件に合う情報を選定し、その選定した情報を遊技台１台毎に隣接配置される台間装置に送信し、台間装置に設けられた表示装置に選定された情報を画面表示する旨の技術が提案されている（例えば、特許文献３参照。）。
【先行技術文献】
【特許文献】
【０００６】
【特許文献１】特開２００３−１４４７２２号公報
【特許文献２】特開２０００−３３１７２号公報
【特許文献３】特開２００２−１３６７５６号公報
【発明の概要】
【発明が解決しようとする課題】
【０００７】
しかしながら、特許文献１に記載されたパチンコ遊技機では、上皿と遊技領域との間に図柄変動表示装置を配置したので、遊技機本体における遊技領域の大きさが図柄変動表示装置によって制約され、大型の遊技領域を設けてダイナミックな遊技を実行可能な構成とすることができないという問題がある。さらに、図柄変動表示装置において変動表示される複数の図柄列のうち、１つを除く他の図柄列の停止時の組合せが大当り図柄の組合せであるリーチ遊技状態となったときに実行されるリーチ演出が、周囲の遊技者からも視認可能である。このため、効果音によってリーチ遊技状態の発生に気づいた周囲の遊技者によって当該パチンコ遊技機の図柄変動表示装置を覗き見されることがあり、このような場合に当該パチンコ遊技機の遊技者が不快な感情を抱いて遊技意欲を減退させてしまう場合があるという問題もある。
【０００８】
また、特許文献２に記載されたパチンコ遊技機では、情報表示部が遊技実行の邪魔にならないように遊技領域内の下部領域に配置されるため、画面表示が小さく、多様な情報の表示が困難であると共に遊技者から視認しにくいという問題がある。
【０００９】
また、特許文献３に記載されたパチンコ機に隣接配置した台間装置にて情報表示を行う構成では、台間装置の表示画面と遊技盤との間における遊技者の視線移動が大きいため遊技者にとって負担が大きく、疲れやすいという問題がある。
【００１０】
解決しようとする課題は、本体各部のスペースを充分に確保しつつ、画面表示可能な表示部を当該遊技者から視認容易とし且つ周囲の視線から遮蔽可能とした遊技機を提供することである。
【課題を解決するための手段】
【００１１】
（請求項１）遊技球を媒体として所定の遊技が実行されると共に遊技球を賞球として払出すように構成された本体と、その本体より払い出された遊技球及び遊技者により投入された遊技球を貯留する貯留部、前記本体より払い出された遊技球を前記貯留部へ流入させる流入口、及び前記貯留部に貯留された遊技球を前記本体側へ供給する供給口を有する上皿と、画面表示可能な表示部と、を備えた遊技機において、
前記上皿の貯留部の一部を前記本体より離間して形成することによって前記貯留部と前記本体との間に空間部を形成すると共に、その空間部内に前記表示部の少なくとも一部を配設したことを特徴とする遊技機。
【００１２】
請求項１に記載の発明によれば、上皿の貯留部の一部を本体より離間して形成することによって貯留部と本体との間に空間部を形成すると共に、空間部内に表示部の少なくとも一部を配設したので、本体各部のスペースを充分に確保しつつ、表示部を当該遊技者から視認容易とし且つ周囲の視線から遮蔽可能とすることができる。すなわち、空間部を表示部の少なくとも一部の配設領域として活用することにより、本体において表示部の配設に必要とされる面積を小さくすることができるので、本体各部（例えば、遊技領域）のスペースを充分に確保することができる。また、遊技者が上皿の貯留部と本体との間に形成された空間部内に少なくとも一部が配設された表示部を見ると、上皿及び本体側の遊技領域等が視界の中に入って見やすくなるという利点がある。さらに、表示部の空間部内に配設された部分は、上皿によって当該遊技者以外の視線から遮蔽されるため、例えば、大当り発生の期待感が高まるリーチ遊技状態等に周囲の遊技者によって表示部を覗き見されて当該遊技者が不快感な気分にさせられることを防止できる。
【発明の効果】
【００１３】
本発明によれば、上皿の貯留部の一部を本体より離間して形成することによって貯留部と本体との間に空間部を形成すると共に、空間部内に表示部の少なくとも一部を配設したので、本体各部のスペースを充分に確保しつつ、表示部を当該遊技者から視認容易とし且つ周囲の視線から遮蔽可能とすることができる。
【図面の簡単な説明】
【００１４】
【図１】第一の実施形態としてのパチンコ機の正面側における斜視図である。
【図２】（ａ）は上皿の平面図、（ｂ）は図柄変動表示装置付近の斜視図、（ｃ）は（ａ）の上皿付近のＡ−Ａ線断面図である。
【図３】パチンコ機の背面側における斜視図である。
【図４】ガラス扉枠を開放した状態における前面枠、遊技盤等を示す正面図である。
【図５】ガラス扉枠を示す背面図である。
【図６】上皿における遊技球の流れを示す説明図である。
【図７】図柄変動表示装置における図柄列の変動表示例を示す斜視図である。
【図８】第二の実施形態としてのパチロット機の正面側における斜視図である。
【図９】パチロット機を用いた情報提供システムの全体構成を示すシステム構成図である。
【図１０】情報表示部において新台入れ替え情報を表示した例を示す図である。
【図１１】（ａ）は第一の実施形態の第１の変形例における上皿の平面図、（ｂ）は（ａ）の上皿における遊技球の流れを示す説明図である。
【図１２】（ａ）は第一の実施形態の第２の変形例における上皿の平面図、（ｂ）は（ａ）の上皿における遊技球の流れを示す説明図である。
【図１３】（ａ）は第一の実施形態の第３の変形例における上皿の平面図、（ｂ）は（ａ）の上皿における遊技球の流れを示す説明図である。
【図１４】第一の実施形態の第４の変形例における上皿付近の断面図である。
【図１５】第一の実施形態の第５の変形例における上皿付近の断面図である。
【図１６】第一の実施形態の第６の変形例における上皿付近の断面図である。
【図１７】（ａ）は第一の実施形態の第７の変形例における図柄変動表示装置付近の斜視図、（ｂ）は上皿付近の断面図である。
【図１８】第一の実施形態の第８の変形例における上皿付近の断面図である。
【図１９】（ａ）は第一の実施形態の第９の変形例における図柄変動表示装置付近の斜視図、（ｂ）は上皿付近の断面図である。
【図２０】第二の実施形態の変形例における情報表示部付近の斜視図である。
【図２１】第二の実施形態の変形例における上皿及び情報表示部付近の断面図であり、（ａ）はフロントパネルを本体枠側から開いた状態を、（ｂ）はフロントパネルを本体枠側へ閉じた状態をそれぞれ示している。
【発明を実施するための形態】
【００１５】
以下、本発明の遊技機を具体化した各実施形態について説明する。最初に、第一の実施形態であるパチンコ遊技機（以下、単に「パチンコ機」と称する）１について説明する。パチンコ機１は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としてのプリペイドカード２２を投入可能なカード投入口２１を有し、プリペイドカード２２から金額情報の読み出し及び書き込みが可能となっている。
【００１６】
パチンコ機１は、図１乃至図５に示すように、外枠２と、その外枠２の前部に設けられ外枠２の一側部にて開閉可能に支持された前面枠３とを備えている。外枠２は、パチンコ機１のベースとなる枠であり、板材により全体として矩形状に構成されている。尚、本実施の形態では、外枠２は木製であって、上下方向の長さは８０８ｍｍ、左右方向の長さは５２０ｍｍとなっている。また、前面枠３は合成樹脂、具体的にはＡＢＳ（アクリロニトリル−ブタジエン−スチレン）樹脂により構成されている。前面枠３の開閉軸線はパチンコ機１の正面から見て左側に上下に延びるように設定されている。尚、外枠２は樹脂により構成されていてもよく、あたかも外枠２及び前面枠３が一体物に見えるように構成されていてもよい。
【００１７】
前面枠３には、後述する下皿ユニット５１を除く前面枠３の前面側を覆うように、ガラス扉枠４が開閉自在に設けられている。尚、ガラス扉枠４が本発明の開閉枠を、前面枠３が本発明の本体枠をそれぞれ構成するものであ。また、後述する上皿５４を除いて外枠２，前面枠３及びガラス扉枠４を含むパチンコ機１のすべての構成部材が本発明の本体を構成するものである。また、ガラス扉枠４の開閉軸線（軸支部）もパチンコ機１の正面から見て左側に上下に延びるように設定されている。
【００１８】
詳しくは、ガラス扉枠４の背面図である図５に示すように、ガラス扉枠４の裏側から見て右側の上端部付近に回動軸９１が設けられ、図５に示すように前面枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部が設けられている。そして、突回動軸９３を前記軸受凹部に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００１９】
また、ガラス扉枠４には、裏側から一対のガラス４２が並行して取り付けられている。ガラス扉枠４の左右方向の長さは、前面枠３とほぼ同等であり、そのガラス扉枠４によって前面枠３下部に設けられた下皿ユニット５１を除く殆どの部分が覆われるようになっている。
【００２０】
前記前面枠３の後側（ガラス扉枠４の奥、外枠２の内側）には、遊技盤５が着脱可能に装着されている。なお、遊技盤５は、その周縁部が前面枠３の裏側に当接した状態で取り付けられており、図４では、遊技盤５の前面部の略中央部分だけが前面枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、風車９、スルーチャッカー１０等が配設されている。
【００２１】
尚、図柄変動表示装置５７の制御を行う表示制御基板を含む各種の制御基板は、図３に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００２２】
図柄変動表示装置５７の液晶表示部には、例えば左図柄列、中図柄列及び右図柄列の３つの表示列が表示される（図７参照）。各図柄列は複数の図柄によって構成されており、これら図柄が各図柄列毎にスクロールされるように表示画面に可変表示されるようになっている。尚、図柄変動表示装置５７の配設構造については後述する。
【００２３】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生が効果音によって報知される。
【００２４】
また、周知のとおり、前記一般入賞口６、可変入賞装置７、作動チャッカー８に遊技球Ｂが入賞することに基づいて、後述する上皿５４（場合によっては下皿５３）に対し所定数の景品球が払い出されるようになっている。また、遊技盤５には、遊技球Ｂの落下方向を適宜分散、調整等するために多数の釘が植設されているとともに、風車等の各種部材（役物）が配設されている。
【００２５】
さて、前記前面枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００２６】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、前面枠３の内周側の窓孔によって主として遊技領域の外延が確定されており、前面枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図４及び図５参照）。
【００２７】
次に、遊技領域について説明する。本実施の形態では、遊技領域を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。
【００２８】
ここで、ガラス扉枠４について説明する。ガラス扉枠４には、前記遊技領域の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００２９】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図４を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図５に示すように、その左右フレーム部分の裏側において、そのガラス扉枠４を補強するための例えば金属製の補強部材４３，４４が取り付けられている。
【００３０】
併せて、図１及び図４に示すように、ガラス扉枠４の存在していない前面枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００３１】
これに対し、ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００３２】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるようにに湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。
【００３３】
尚、図２（ａ）は上皿の平面図、（ｂ）は図柄変動表示装置付近の斜視図、（ｃ）は（ａ）の上皿のＡ−Ａ線断面図であり、図２（ａ）では、上皿５４が取り付けられるガラス扉枠４を点線で示している。また、図２（ｃ）に示すように、後壁部５４ｄの上縁が丸みを帯びた断面形状に形成されているので、極めて安全性が高い。例えば、図柄変動表示装置５７へ遊技者が指を移動させる際に後壁部５４ｄに触れた場合にも、遊技者の指を傷つけることが防止される。
【００３４】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きレバー５４ｇの操作により移動されたときに、球抜き穴５４ｊが開放されて貯留部５４ａ内に貯留されていた遊技球を図示しない球抜き通路を介して下皿５３に移動せしめるものである。
【００３５】
ここで、上皿５４の貯留部５４ａにおける遊技球Ｂの流れについて、図６を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から球送り装置４８へ供給された遊技球は、１個ずつ発射レール３３に導かれ、発射装置３１によって発射される。
【００３６】
ガラス扉枠４の窓部４１下方には、遊技球の貸し出しに関する操作を行うための貸球操作部４６が設けられ、さらに下方には、本発明の表示部を構成する図柄変動表示装置５７が配設されている。貸球操作部４６は、図１に示すように、遊技球の貸し出し可能状態をランプによって示す貸出ボタンランプ４６ａ、遊技球の貸し出しを行うための貸出ボタン４６ｂ、プリペイドカード２２の返却を行うための返却ボタン４６ｃ、プリペイドカード２２の残り度数を表示する度数表示ＬＥＤ４６ｄとを備えている。
【００３７】
図柄変動表示装置５７は、横長の長方形状を呈する液晶ディスプレイからなり、全体が上皿５４の後壁部５４ｄとガラス扉枠４との間に形成された空間部５４ｈ内に配設されている。すなわち、図柄変動表示装置５７は、ガラス扉枠４において空間部５４ｈを挟んで上皿５４の後壁部５４ｄに対向する領域に固着されている。また、図柄変動表示装置５７は、表示面が当該遊技者の視線方向を向くように傾斜配置されている。
【００３８】
ガラス扉枠４の周囲（例えばコーナー部分や窓部４１の周縁）には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、遊技盤５に設ける構成（コーナー飾りと称される電飾部材６２を遊技盤５のコーナー部等に配設する）としてもよいし、場合によっては前面枠３に設ける構成としてもよい。更には、前後一対のガラス４２間に配設する構成としてもよい。
【００３９】
また、周知のとおり、前面枠３が外枠２に対し閉じられると自動的にロックがかかるようになっており、所定のキー操作が行われることによりロックが解除されるようになっている。同様に、ガラス扉枠４が前面枠３に対し閉じられると自動的にロックがかかり、別途のキー操作が行われることによりロックが解除されるようになっている。このようにロック及びロック解除を行うためのロック機構が前面枠３の右下部、つまり下皿ユニット５１の右端部に設けられている。ロック機構には、鍵穴を有するキーシリンダ（解除キー）５５、前面枠３及び外枠２間でのロック及び解除を行うための第２ロック機構が含まれる。本実施の形態では、最も幅狭で、遊技領域の拡張を阻害する前面枠の右中央部ではなく、比較的にスペースにゆとりのある前面枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００４０】
勿論、最も幅狭な部分以外であれば、上記以外の部位に設けてもよく、例えば、前面枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００４１】
以上詳述したことから明らかなように、本実施形態によれば、上皿５４の貯留部５４ａの一部を本体（ガラス扉枠４）より離間して形成することによって貯留部５４ａと本体（ガラス扉枠４）との間に空間部５４ｈを形成すると共に、空間部５４ｈ内に表示部としての図柄変動表示装置５７全体を配設したので、本体各部のスペースを充分に確保しつつ、図柄変動表示装置５７を当該遊技者から視認容易とし且つ周囲の視線から遮蔽可能とすることができる。
【００４２】
すなわち、空間部５４ｈを図柄変動表示装置５７の配設領域として活用することにより、ガラス扉枠４において図柄変動表示装置５７の配設に必要とされる面積を小さくすることができるので、ガラス扉枠４各部（例えば、遊技領域）のスペースを充分に確保することができる。また、遊技者が上皿５４の貯留部５４ａとガラス扉枠４との間に形成された空間部５４ｈ内に配設された図柄変動表示装置５７を見ると、上皿５４及び遊技領域等が視界の中に入って見やすくなるという利点がある。特に、図柄変動表示装置５７は、ガラス扉枠４において遊技者の視線方向に向けて傾斜配置されているので、遊技者は容易に画面表示を視認することができる（図７参照）。
【００４３】
さらに、空間部５４ｈ内に配設された図柄変動表示装置５７は、上皿５４の後壁部５４ｄによって当該遊技者以外の視線から遮蔽されるため、例えば、大当り発生の期待感が高まるリーチ遊技状態等に周囲の遊技者によって図柄変動表示装置５７を覗き見されて当該遊技者が不快感な気分にさせられることを防止できる。また、図柄変動表示装置５７は、開閉枠としてのガラス扉枠４に固着される構造であるので、図柄変動表示装置５７をガラス扉枠４に固着した状態で上皿５４をガラス扉枠４に取り付けることにより、図柄変動表示装置５７が空間部５４ｈ内に配設される構造を容易且つ確実に形成することができる。
【００４４】
また、底面部５４ｂ上には整流部５４ｅが設けられ、整流部５４ｅには遊技球誘導用の傾斜壁５４ｋが形成されて遊技球の流路が徐々に狭まっているので、貯留された遊技球を一列に整列させて供給口５４ｒより発射装置３１側へ確実に流下させることができる。特に、遊技球誘導用の傾斜壁５４ｋが前壁部５４ｃ側だけでなく、後壁部５４ｄ側にも形成されているので、遊技球が後壁部５４ｄ側で滞ることなく供給口５４ｒに向かって誘導される。
【００４５】
また、整流部５４ｅは、底面部５４ｂ上で前後方向に延設され且つ前方側から供給口５４ｒが設けられる後方側に向かって下り傾斜する直線部５４ｆを備えている。よって、流入口５４ｌから底面部５４ｂ上に流入した遊技球は、前壁部５４ｃ側へ凸状に形成された後壁部５４ｄを迂回して供給口５４ｒへ向かう経路に沿って転動し、整流部５４ｅの直線部５４ｆにおいて一列に円滑に整列されて供給口５４ｒより発射装置３１側へ確実に流下する。
【００４６】
次に、本発明の第二の実施形態について、図８を参照しつつ説明する。第二の実施形態は、複数種類の図柄が表示された複数の回転リールを有し、各回転リールの回転停止時の図柄の組合わせに基づく入賞態様に応じて遊技球が払い出されるパチロット遊技機（以下、単に「パチロット機」と称する）である。本実施形態のパチロット機１０１は、図８に示すように、正面側に開口すると共に、複数種類の図柄が表示された図示しない複数（３個）の回転リールが収容される本体枠１２０と、本体枠１２０の前面を覆うように開閉可能に取り付けられ、各回転リールの図柄を視認可能な表示窓１６３を設けた合成樹脂製のフロントパネル１６０とを備えている。
【００４７】
また、フロントパネル１６０には、装飾ランプ１６２、前方へ突出する台状に形成された上皿１５４、払い出された遊技球又は上皿１５４より誘導された遊技球を受けて貯留する下皿１７０等が設けられている。上皿１５４の上面には、各回転リールの回転停止時の図柄の組合わせに基づく入賞態様に応じてフロントパネル１６０の払出し口１４５より払い出された遊技球及び遊技者により投入された遊技球を貯留する貯留部１５４ａ、払出し口１４５より払い出された遊技球を貯留部１５４ａへ流入させる流入口１５４ｌ、及び貯留部１５４ａに貯留された遊技球をフロントパネル１６０の供給穴１４９を通して本体側へ供給する供給口１５４ｒが設けられている。
【００４８】
上皿１５４の貯留部１５４ａは、流入口１５４ｌ及び供給口１５４ｒに連続する底面部１５４ｂと、底面部１５４ｂの周囲を取り囲むように立設された前壁部１５４ｃと、底面部１５４ｂを挟んで前壁部１５４ｃと対向するように流入口１５４ｌと供給口１５４ｒとの間に立設され且つ前壁部１５４ｃ側へ凸状となるように湾曲形成された後壁部１５４ｄとを有している。底面部１５４ｂは、左右方向に細長く且つ本体側から前方へ張り出すように形成されている。また、底面部１５４ｂ後部の流入口１５４ｌと供給口１５４ｒとの間には前方側へ凹状をなす凹状輪郭部が形成され、上述した後壁部１５４ｄは凹状輪郭部に沿って立設されている。後壁部１５４ｄは、左右方向中央部でフロントパネル１６０より数十ｍｍ程度（例えば、３０〜５０ｍｍ）前方側へ離間しており、後壁部１５４ｄとフロントパネル１６０との間に空間部１５４ｈが形成される構造となっている。
【００４９】
フロントパネル１６０の回転リールを臨む窓部１４１下方には、本発明の表示部を構成する情報表示部１５７が設けられている。情報表示部１５７は、横長の長方形状を呈する液晶ディスプレイからなり、上皿１５４の後壁部１５４ｄとフロントパネル１６０との間に形成された空間部１５４ｈの内外に跨って配置されている。すなわち、情報表示部１５７は、その略下半分がフロントパネル１６０において空間部１５４ｈを挟んで上皿１５４の後壁部１５４ｄに対向する領域内に、残りの略上半分が当該領域外の窓部１４１下縁近傍の領域にそれぞれ位置するように配置されている。
【００５０】
また、前壁部１５４ｃの上面には、クレジットされている遊技球を投入するためのベットスイッチ１６５や、クレジットされている遊技球を払い出すためのキャンセルスイッチ１６６が設けられている。また、前壁部１５４ｃの前面は操作部１６４となっており、回転リールの回転起動操作を行うスタートレバー１６７、及び左・中・右の回転リールにそれぞれ対応して設けられたストップスイッチ１６８が設けられている。
【００５１】
次に、上述したパチロット機１０１を用いた情報提供システム３０１のシステム構成について、図９を参照しつつ説明する。情報提供システム３０１は、図９に示すように、遊技ホール外の情報提供センタ等に設けられる情報サーバ３０２と、情報サーバ３０２が接続されたインターネット網３０３と、遊技ホール側に設けられてインターネット網３０３に接続されたホールサーバ３０４と、遊技ホール内に設けられた通信線３０５と、遊技ホール内に設置されて通信線３０５を介してホールサーバ３０４と接続された複数のパチロット機１０１，・・１０１とから構成される。
【００５２】
情報サーバ３０２には、各種情報の表示用データが記憶されており、当該記憶された表示用データを、インターネット網３０３を介して各遊技ホールのホールサーバ３０４に対して定期的に配信する。情報サーバ３０２によって配信される表示用データは、地域の飲食店情報等の広告情報、ニュース、天気予報等である。ホールサーバ３０４は、インターネット網３０３を介して表示用データを受信して内部の記憶装置に記憶する。また、ホールサーバ３０４は、遊技ホールにおいて入力された表示用データをも記憶装置に記憶する。尚、遊技ホールにおいて入力される表示用データは、新台入れ替え情報、遊技機の新機種情報、景品情報、遊技ホールからのお知らせ等である。そして、ホールサーバ３０４は、記憶した表示用データを通信回線３０５を介して所定のタイミングで各パチロット機１０１へ送信する。各パチロット機１０１において、情報表示部１５７が受信した表示用データに基づいて画面表示を行う。図１０は、情報表示部１５７において、新台入れ替え情報を表示した例を示している。
【００５３】
以上詳述したことから明らかなように、本実施形態によれば、パチロット遊技機１０１において、上皿１５４の貯留部１５４ａの一部を本体側のフロントパネル１６０より離間して形成することによって貯留部１５４ａとフロントパネル１６０との間に空間部１５４ｈを形成すると共に、情報表示部１５７を窓部１４１の下方で空間部１５４ｈの内外に跨って配設することにより情報表示部１５７の一部（略下半分）を空間部１５４ｈ内に配設したので、窓部１４１等のフロントパネル１６０各部のスペースを充分に確保することができる。また、情報表示部１５７の残りの部分（略上半分）を空間部１５４ｈ外に配設することにより、情報表示部１５７全体のサイズをより大きくすることができる。例えば、回転リールを臨む窓部の下方に各種の情報を表示するための情報表示部を設ける場合、従来は情報表示部の下端位置が上皿上端により規制されていたが、本実施形態では、情報表示部１５７が上皿１５４上端よりも下方の空間部１５４ｈ内まで延設されるので、従来よりも大きな画面表示を行うことが可能となる。
【００５４】
また、貯留部１５４ａの後端で左右に離間して設けられた流入口１５４ｌと供給口１５４ｒとの間に空間部１５４ｈを形成したので、空間部１５４ｈのサイズを大きくして情報表示部１５７の設置領域等を充分に確保することができる。また、空間部１５４ｈが貯留部１５４ａの左右方向中央に形成されているので、貯留部１５４ａを構成する樹脂部材において左右均等な強度を確保することができる。また、貯留部１５４ａの全体形状が流入口１５４ｌ側と供給口１５４ｒ側とを両端とし且つ前方側へ湾曲するアーチ状に形成されているので、アーチ形状の内周側部分となる貯留部１５４ａとフロントパネル１６０との間に確実に空間部１５４ｈを形成することができる。
【００５５】
尚、本発明は上述した各実施の形態に限定されるものではなく、本発明の主旨を逸脱しない範囲で種々の変更を施すことが可能である。例えば、前記第一の実施形態では、ガラス扉枠４に上皿５４が設けられる例を示したが、ガラス扉枠の下方に別体で前面枠３に対して開閉可能な上皿板を設け、その上皿板に上皿５４を設ける構成のパチンコ機に対して本発明を適用してもよい。尚、本変形例において、上皿板が本発明の開閉枠を構成するものである。或いは、第一の実施形態において、上皿５４を開閉枠としてのガラス扉枠４や上皿板に設けることなく、前面枠３に設ける構成としてもよい。同様に、第二の実施形態では、上皿１５４を開閉枠としてのフロントパネル１６０に設けることなく、本体枠１２０に設ける構成としてもよい。
【００５６】
また、前記第一の実施形態では、貯留部５４ａの整流部５４ｅに直線部５４ｆを前後方向に設ける構成としたが、図１１（ａ）に示す第１の変形例のように、ガラス扉枠４に対して斜め方向に延設され且つ前方側から後方側に向かって下り傾斜する直線部５４ｎを設け、この直線部５４ｎを挟んで前壁部５４ｃ側及び後壁部５４ｄ側に傾斜壁５４ｋを設ける構成としてもよい。本変形例によれば、図１１（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｎの両側に設けられた傾斜壁５４ｋによって誘導されて一列に整列されると共に、直線部５４ｎ上を下り傾斜する後方側（ガラス扉枠４側）へ転動して金属板５４ｍの下流端より供給穴４９へ流下する。
【００５７】
また、図１２（ａ）に示す第２の変形例のように、底面部５４ｂ上で流入口５４ｌから供給口５４ｒに至る曲線状の経路に沿って延設され且つ前方側から供給口５４ｒが設けられる後方側に向かって下り傾斜する曲線部５４ｏを設け、この曲線部５４ｏを挟んで前壁部５４ｃ側及び後壁部５４ｄ側に傾斜壁５４ｋを設ける構成としてもよい。本変形例によれば、図１２（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは曲線部５４ｏの両側に設けられた傾斜壁５４ｋによって誘導されて一列に整列されると共に、曲線部５４ｏ上を下り傾斜する後方側（ガラス扉枠４側）へ転動して金属板５４ｍの下流端より供給穴４９へ流下する。
【００５８】
また、図１３（ａ）に示す第３の変形例のように、底面部５４ｂ上で供給口５４ｒに対して流入口５４ｌとは反対側（右側）にて左右方向に延設され且つ供給口５４ｒが設けられる左方向に向かって下り傾斜する直線部５４ｐを設け、この直線部５４ｐを挟んで前壁部５４ｃ側及び後壁部５４ｄ側に傾斜壁５４ｋを設ける構成としてもよい。本変形例によれば、図１３（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｐの両側に設けられた傾斜壁５４ｋによって誘導されて一列に整列されると共に、直線部５４ｐ上を下り傾斜する左側へ転動して金属板５４ｍの下流端より供給穴４９へ流下する。
【００５９】
また、前記第一の実施形態では、図柄変動表示装置５７をガラス扉枠４側に固着する構成としたが、上皿５４の後壁部５４ｄに固着する構成としてもよい。或いは、図１４に示す第４の変形例のように、ガラス扉枠４と上皿後壁部５４ｄとに固着する構成としてもよい。本変形例では、図柄変動表示装置５７が前後両側で固着されているので、取り付け強度が確保され、取り付け状態の安定化を図ることができる。例えば、図柄変動表示装置５７を上皿後壁部５４ｄに固着した状態で上皿５４をガラス扉枠４に取り付け、さらに図柄変動表示装置５７をガラス扉枠４に固着することにより、図柄変動表示装置５７の少なくとも一部が空間部５４ｈ内に配設される構造を容易且つ確実に形成することができる。
【００６０】
また、図１５に示す第５の変形例のように、ガラス扉枠４の前面に凹部４ａを形成し、その凹部４ａ内に図柄変動表示装置５７の少なくとも一部が配設される構造としてもよい。本変形例では、図柄変動表示装置５７がより一層視認容易となると共に、図柄変動表示装置５７のサイズをより大きくすることができる。
【００６１】
また、前記第一の実施形態では、図柄変動表示装置５７を液晶ディスプレイにより構成したが、図柄変動表示装置５７をＥＬディスプレイ（ＥＬは、エレクトロルミネッセントの略）により構成してもよい。本変形例によれば、図柄変動表示装置５７が高輝度で見易い画面表示を行うことができる。尚、図柄変動表示装置５７を可撓性を有する材質からなるＥＬディスプレイにより構成する場合、図１６に示す第６の変形例のように、ＥＬディスプレイを曲面状に配設する構成としてよい。本変形例によれば、外部からの光の写り込みが防止されて図柄変動表示装置５７における画面表示の視認がより一層容易となる。
【００６２】
或いは、図柄変動表示装置５７をＬＥＤディスプレイにより構成してもよい。本変形例によれば、図柄変動表示装置５７が安価な構成で見易い画面表示を行うことができる。さらに、第二の実施形態において、情報表示部１５７をタッチパネル式ディスプレイにより構成してもよい。本変形例によれば、遊技者が指で情報表示部１５７の表面に触れることによって容易に各種の入力操作を行うことができる。入力操作としては、表示したい情報の選択入力を行えるようにしてもよいし、タッチパネル式ディスプレイ上に球貸しボタン等を設けて貸し球操作部を構成するようにしてもよい。
【００６３】
また、前記第一の実施形態では、図柄変動表示装置５７全体を空間部５４ｈ内に配設したが、図１７に示す第７の変形例のように、空間部５４ｈの内外に跨って図柄変動表示装置５７を配設すると共に、上皿後端部５４ｄの左右両側に図柄変動表示装置５７の左右を囲む遮蔽部５ｑ，５４ｑを立設する構造としてもよい。尚、図１７（ａ）は、本変形例における図柄変動表示装置５７付近の斜視図、（ｂ）は上皿５４の図２（ｃ）に相当する断面図である。本変形例によれば、空間部５４ｈの内外に跨って図柄変動表示装置５７を配設することにより図柄変動表示装置５７の一部（略下半分）を空間部５４ｈ内に配設したので、遊技が行われる遊技領域等の本体各部のスペースを充分に確保することができる。また、図柄変動表示装置５７の残りの部分（略上半分）を空間部５４ｈ外に配設することにより、図柄変動表示装置５７全体のサイズをより大きくすることができる。さらに、大きな画面を有する図柄変動表示装置５７は遮蔽部５４ｑ，５４ｑによって当該遊技者以外の視線から確実に遮蔽されるため、例えば、大当り発生の期待感が高まるリーチ遊技時に周囲の遊技者によって図柄変動表示装置５７を覗き見されて当該遊技者が不快感な気分にさせられることをより確実に防止できる。尚、遮蔽部５４ｑ，５４ｑを省略した構成とした場合、図柄変動表示装置５７の上部は周囲から視認可能となるが、図柄変動表示装置５７下部が上皿後壁部５４ｄによって周囲の視線から遮蔽されるので、他の遊技者による覗き見を防止する効果がある程度発揮されるものと考えられる。また、図１８に示す第８の変形例のように、第４の変形例と同様に、図柄変動表示装置５７を上皿後壁部５４ｄとガラス扉枠４とに固着する構成としてもよい。
【００６４】
また、第７の変形例に対する変形として、図１９に示す第９の変形例のように、空間部５４ｈ内に後壁部５４ｄとガラス扉枠４とを連結する連結部４７を架設すると共に、連結部４７に立設された一対の起立部４８，４８の上部にて図柄変動表示装置５７を軸支し、所定の傾斜角となるように回動可能に設ける構成としてもよい。本変形例によれば、図柄変動表示装置５７は、遊技者の視線方向となる所望の傾斜角に調整可能であるので、遊技者は確実に画面表示を容易に視認することが可能となる。尚、図１９（ａ）は第９の変形例における図柄変動表示装置５７付近の斜視図であり、図１９（ｂ）は図２（ｃ）相当の断面図である。
【００６５】
また、前記第二の実施形態において、図２０，２１に示す変形例のように、上皿後壁部１５４ｄと本体枠１２０との間に空間部１５４ｈを形成すると共に、情報表示部１５７が本体枠１２０に固着され且つ情報表示部１５７を視認可能とする開口部１６０ａがフロントパネル１６０に設けられる構成としてもよい。尚、図２０は、本変形例における情報表示部１５７付近の斜視図である。また、図２１は、上皿１５４及び情報表示部１５７付近の断面図であり、（ａ）はフロントパネル１６０を本体枠１２０側から開いた状態を、（ｂ）はフロントパネル１６０を本体枠１２０側へ閉じた状態をそれぞれ示している。本変形例によれば、本体枠１２０に固着された情報表示部１５７がフロントパネル１６０に設けられた開口部１６０ａを介して遊技者から視認される。また、情報表示部１５７をフロントパネル１６０と別体となるように本体枠１２０側へ配置したことにより、フロントパネル１６０の軽量化を図ることができ、フロントパネル１６０の開閉作業の負担を軽減することができる。また、本変形例では、上皿１５４に開口部１６０ａを覆う透明カバー１５４ｓが設けられているので、遊技球の落下等から情報表示部１５７が確実に保護される。尚、透明カバー１５４ｓをフロントパネル１６０に設ける構成としてもよい。また、本変形例において、本体枠１２０の前面に凹部を形成し、その凹部内に情報表示部１５７の少なくとも一部を配設する構造としてもよい。これにより、情報表示部１５７の視認が容易になると共に、情報表示部のサイズをより大きくすることができる。
【００６６】
また、前記第一の実施形態では、図柄変動表示装置５７を上皿５４の貯留部５４ａと本体との間に形成された空間部５４ｈ内に配設したが、所定の遊技の実行に関連して画面表示する表示装置の少なくとも一部を空間部５４ｈ内に配設する構成としてもよく、遊技領域内に図柄変動表示装置を設けて、別途、第二の実施形態と同様の情報表示部の少なくとも一部を空間部５４ｈ内に配設する構成としてもよい。また、空間部５４ｈ内に情報表示部を配設する場合、当該遊技機における前日の大当り回数や変動回数等のデータを表示するようにしてもよい。さらに、第二の実施形態において、第一の実施形態と同様に空間部１５４ｈ内に情報表示部１５７全体を配設する構成としてもよく、かかる構成では、他者に知られたくない遊技者の個人情報や遊技者の選択操作により画面表示された各種情報等を上皿後壁部１５４ｄによって周囲の視線から遮蔽することができる。また、前記各実施形態では、それぞれ表示部を１つ設けた例を示したが、表示部を複数設ける構成としてもよい。
【００６７】
（付記）
上述した実施形態から、以下に示す本発明の各手段を抽出することができる。以下、各手段につき、必要に応じて作用効果等を付記しつつ説明する。
１．遊技球を媒体として所定の遊技が実行されると共に遊技球を賞球として払出すように構成された本体と、その本体より払い出された遊技球及び遊技者により投入された遊技球を貯留する貯留部、前記本体より払い出された遊技球を前記貯留部へ流入させる流入口、及び前記貯留部に貯留された遊技球を前記本体側へ供給する供給口を有する上皿と、画面表示可能な表示部と、を備えた遊技機において、
前記上皿の貯留部の一部を前記本体より離間して形成することによって前記貯留部と前記本体との間に空間部を形成すると共に、その空間部内に前記表示部の少なくとも一部を配設したことを特徴とする遊技機。
【００６８】
手段１によれば、上皿の貯留部の一部を本体より離間して形成することによって貯留部と本体との間に空間部を形成すると共に、空間部内に表示部の少なくとも一部を配設したので、本体各部のスペースを充分に確保しつつ、表示部を当該遊技者から視認容易とし且つ周囲の視線から遮蔽可能とすることができる。すなわち、空間部を表示部の少なくとも一部の配設領域として活用することにより、本体において表示部の配設に必要とされる面積を小さくすることができるので、本体各部（例えば、遊技領域）のスペースを充分に確保することができる。また、遊技者が上皿の貯留部と本体との間に形成された空間部内に少なくとも一部が配設された表示部を見ると、上皿及び本体側の遊技領域等が視界の中に入って見やすくなるという利点がある。さらに、表示部の空間部内に配設された部分は、上皿によって当該遊技者以外の視線から遮蔽されるため、例えば、大当り発生の期待感が高まるリーチ遊技状態等に周囲の遊技者によって表示部を覗き見されて当該遊技者が不快感な気分にさせられることを防止できる。
【００６９】
２．前記空間部内に前記表示部全体を配設したことを特徴とする手段１に記載の遊技機。
手段２によれば、空間部内に表示部全体が収まるので、遊技が実行される遊技領域等の本体各部のスペースをより大きく確保することができる。また、表示部全体が上皿によって当該遊技者以外の視線から確実に遮蔽され、周囲の遊技者によって表示部を覗き見されることをより確実に防止できる。
【００７０】
３．前記空間部の内外に跨って前記表示部を配設したことを特徴とする手段１に記載の遊技機。
手段３によれば、空間部の内外に跨って表示部を配設することにより表示部の一部を空間部内に配設したので、遊技が行われる遊技領域等の本体各部のスペースを充分に確保することができる。また、表示部の残りの部分を空間部外に配設することにより、表示部全体のサイズをより大きくすることができる。
【００７１】
４．前記表示部は、遊技者の視線方向に向けて傾斜配置されたことを特徴とする手段１乃至３のいずれかに記載の遊技機。
手段４によれば、表示部が遊技者の視線方向に向けて傾斜配置されているので、遊技者は、より一層容易に画面表示を視認することができる。
【００７２】
５．前記表示部は、所定の傾斜角となるように回動可能に設けられたことを特徴とする手段１乃至３のいずれかに記載の遊技機。
手段５によれば、表示部は、所定の傾斜角となるように回動可能に設けられ、表示部が遊技者の視線方向となるように傾斜角を調整可能であるので、遊技者は、より一層容易に画面表示を視認することができる。
【００７３】
６．前記表示部は、曲面状に配設されたことを特徴とする手段１乃至５のいずれかに記載の遊技機。
手段６によれば、表示部が曲面状に配設されているので、外部からの光の写り込みが防止されて表示部における画面表示の視認がより一層容易となる。尚、表示部は、可撓性を有する材質からなるディスプレイ（例えば、ＥＬディスプレイ）によって構成することが好ましい。
【００７４】
７．前記表示部の周囲の少なくとも一部に遮蔽部が立設されたことを特徴とする手段１乃至６のいずれかに記載の遊技機。
手段７によれば、表示部の周囲の少なくとも一部に遮蔽部が立設されているので、表示部は遮蔽部によって当該遊技者以外の視線から確実に遮蔽されるため、例えば、大当り発生の期待感が高まるリーチ遊技時に周囲の遊技者によって表示部を覗き見されて当該遊技者が不快感な気分にさせられることをより確実に防止できる。
【００７５】
８．前記貯留部は、前記流入口及び前記供給口に連続する底面部と、その底面部の周囲を取り囲むように立設された前壁部と、前記底面部を挟んで前記前壁部と対向して立設され且つ前記前壁部側へ凸状に形成された後壁部とを備え、
前記後壁部と前記本体との間に形成された空間部内に前記表示部の少なくとも一部を配設したことを特徴とする手段１乃至７のいずれかに記載の遊技機。
手段８によれば、底面部を挟んで前壁部と対向して立設された後壁部が前壁部側へ凸状に形成されて、後壁部と本体との間に確実に空間部を形成し、その空間部内に表示部の少なくとも一部が配設されるので、本体各部のスペースを充分に確保しつつ、表示部を当該遊技者から視認容易とし且つ周囲の視線から後壁部によって遮蔽可能とすることができる。
【００７６】
９．前記本体は、前記所定の遊技が実行される本体枠と、その本体枠に対して前面側へ開閉可能に設けられ且つ前記上皿が取り付けられる開閉枠とを備え、
前記後壁部と前記開閉枠との間に空間部を形成したことを特徴とする手段８に記載の遊技機。
手段９によれば、上皿の後壁部と開閉枠との間に形成された空間部内に表示部の少なくとも一部を配設したので、本体各部のスペースを充分に確保しつつ、表示部を当該遊技者から視認容易とし且つ周囲の視線から後壁部によって遮蔽可能とすることができる。
【００７７】
１０．前記表示部は、前記開閉枠に固着されたことを特徴とする手段９に記載の遊技機。
手段１０によれば、表示部を開閉枠に固着した状態で上皿を取り付けることにより、表示部の少なくとも一部が空間部内に配設される構造を容易且つ確実に形成することができる。
【００７８】
１１．前記表示部は、前記後壁部に固着されたことを特徴とする手段９に記載の遊技機。
手段１１によれば、表示部を上皿後壁部に固着した状態で上皿を開閉枠に取り付けることにより、表示部の少なくとも一部が空間部内に配設される構造を容易且つ確実に形成することができる。
【００７９】
１２．前記表示部は、前記開閉枠と前記後壁部とに固着されたことを特徴とする手段９に記載の遊技機。
手段１２によれば、表示部が開閉枠と後壁部とに固着されているので、表示部の取り付け強度が確保され、取り付け状態の安定化を図ることができる。例えば、表示部を上皿後壁部に固着した状態で上皿を開閉枠に取り付け、さらに表示部を開閉枠に固着することにより、表示部の少なくとも一部が空間部内に配設される構造を容易且つ確実に形成することができる。
【００８０】
１３．前記空間部内に前記後壁部と前記開閉枠とを連結する連結部が架設され、前記表示部は前記連結部上に立設されたことを特徴とする手段９に記載の遊技機。
手段１３によれば、空間部内で後壁部と開閉枠とを連結するように架設された連結部上に表示部が立設されることにより、表示部の少なくとも一部が空間部内に配設される構造を容易且つ確実に形成することができる。
【００８１】
１４．前記開閉枠の前面に凹部が形成され、その凹部内に前記表示部の少なくとも一部が配設されることを特徴とする手段９乃至１３のいずれかに記載の遊技機。
手段１４によれば、開閉枠の前面に形成された凹部内に表示部の少なくとも一部が配設されるので、表示部がより一層視認容易となると共に、表示部のサイズをより大きくすることができる。
【００８２】
１５．前記本体は、前記所定の遊技が実行される本体枠と、その本体枠に対して前面側へ開閉可能に設けられ且つ前記上皿が取り付けられる開閉枠とを備え、
前記後壁部と前記本体枠との間に空間部を形成すると共に、前記表示部が前記本体枠に固着され且つその表示部を視認可能とする開口部が前記開閉枠に設けられたことを特徴とする手段８に記載の遊技機。
手段１５によれば、上皿の後壁部と本体枠との間に空間部を形成し、本体枠に固着された表示部が開閉枠に設けられた開口部を介して遊技者から視認される。また、表示部を開閉枠と別体となるように本体枠側へ配置したことにより、開閉枠の軽量化を図ることができ、開閉枠の開閉作業の負担を軽減することができる。
【００８３】
１６．前記本体枠の前面に凹部が形成され、その凹部内に前記表示部の少なくとも一部が配設されることを特徴とする手段１５に記載の遊技機。
手段１６によれば、本体枠の前面に形成された凹部内に表示部の少なくとも一部が配設されるので、表示部の視認が容易になると共に、表示部のサイズをより大きくすることができる。
【００８４】
１７．前記上皿又は前記開閉枠に前記開口部を覆う透明カバーが設けられたことを特徴とする手段１５又は１６に記載の遊技機。
手段１７によれば、表示部を視認可能とする開口部を上皿又は開閉枠に設けられた透明カバーで覆うことにより、遊技球の落下等から表示部が確実に保護される。
【００８５】
１８．前記後壁部の上縁が丸みを帯びた断面形状に形成されたことを特徴とする手段８乃至１７のいずれかに記載の遊技機。
手段１８に記載の遊技機によれば、後壁部の上縁が丸みを帯びた断面形状に形成されているので、極めて安全性が高い。例えば、遊技者が表示部へ指を移動させる際に後壁部に触れた場合にも、遊技者の指を傷つけることが防止される。
【００８６】
１９．前記底面部上に、遊技球を一列に整列させて前記供給口より本体側へ流下させる整流部が設けられたことを特徴とする手段８乃至１８のいずれかに記載の遊技機。
手段１９によれば、貯留部の底面部上に整流部が設けられているので、遊技球を一列に整列させて供給口より本体側へ流下させることができる。
【００８７】
２０．前記整流部には、前記前壁部側及び前記後壁部側の少なくとも一方に遊技球誘導用の傾斜壁が形成されたことを特徴とする手段１９に記載の遊技機。
手段２０によれば、整流部には、前壁部側及び後壁部側の少なくとも一方に遊技球誘導用の傾斜壁が形成されているので、遊技球が確実に一列に整列され且つ供給口に向かって確実に誘導される。
【００８８】
２１．前記整流部には、前記前壁部側及び前記後壁部側の両方に遊技球誘導用の傾斜壁が形成されたことを特徴とする手段１９に記載の遊技機。
手段２１によれば、整流部において遊技球誘導用の傾斜壁が前壁部側だけでなく、後壁部側にも形成されているので、遊技球が後壁部側で滞ることなく供給口に向かって確実に誘導される。
【００８９】
２２．前記流入口及び前記供給口は、前記貯留部の後端で左右に離間して設けられ、前記後壁部は、前記流入口と前記供給口との間に形成されたことを特徴とする手段１９乃至２１のいずれかに記載の遊技機。
手段２２によれば、貯留部の後端で左右に離間して設けられ流入口と供給口との間に底面部を挟んで前壁部と対向して後壁部が立設され且つその後壁部が前壁部側へ凸状に形成されているので、後壁部と本体との間に確実に空間が形成される。
【００９０】
２３．前記整流部は、前記底面部上で前後方向に延設され且つ前方側から前記供給口が設けられる後方側に向かって下り傾斜する直線部を備えたことを特徴とする手段２２に記載の遊技機。
手段２３によれば、流入口から底面部上に流入した遊技球は、前壁部側へ凸状に形成された後壁部を迂回して供給口へ向かう経路に沿って転動し、底面部上で前後方向に延設され且つ前方側から供給口が設けられる後方側に向かって下り傾斜する整流部の直線部において一列に円滑に整列されて供給口より本体側へ確実に流下する。
【００９１】
２４．前記整流部は、前記底面部上で前記供給口に対して前記払出口とは反対側にて左右方向に延設され且つ前記供給口が設けられる方向に向かって下り傾斜する直線部を備えたことを特徴とする手段２２に記載の遊技機。
手段２４によれば、流入口から底面部上に流入した遊技球は、前壁部側へ凸状に形成された後壁部を迂回して供給口へ向かう経路に沿って転動し、底面部上で供給口に対して払出口とは反対側にて左右方向に延設され且つ供給口が設けられる方向に向かって下り傾斜する整流部の直線部において一列に円滑に整列されて供給口より本体側へ確実に流下する。
【００９２】
２５．前記整流部は、前記底面部上で前記本体に対して斜め方向に延設され且つ前方側から前記供給口が設けられる後方側に向かって下り傾斜する直線部を備えたことを特徴とする手段２２に記載の遊技機。
手段２５によれば、流入口から底面部上に流入した遊技球は、前壁部側へ凸状に形成された後壁部を迂回して供給口へ向かう経路に沿って転動し、底面部上で本体に対して斜め方向に延設され且つ前方側から供給口が設けられる後方側に向かって下り傾斜する整流部の直線部において一列に円滑に整列されて供給口より本体側へ確実に流下する。
【００９３】
２６．前記整流部は、前記底面部上で前記払出口から前記供給口に至る曲線状の経路に沿って延設され且つ前方側から前記供給口が設けられる後方側に向かって下り傾斜する曲線部を備えたことを特徴とする手段２２に記載の遊技機。
手段２６によれば、流入口から底面部上に流入した遊技球は、前壁部側へ凸状に形成された後壁部を迂回して供給口へ向かう経路に沿って転動し、底面部上で払出口から供給口に至る曲線状の経路に沿って延設され且つ前方側から供給口が設けられる後方側に向かって下り傾斜する整流部の曲線部において一列に円滑に整列されて供給口より本体側へ確実に流下する。
【００９４】
２７．前記流入口及び前記供給口は、前記貯留部の後端で左右に離間して設けられ、前記空間部は、前記流入口と前記供給口との間に形成されたことを特徴とする手段１乃至２６のいずれかに記載の遊技機。
手段２７によれば、貯留部の後端で左右に離間して設けられた流入口と供給口との間に空間部を形成したので、空間部のサイズを大きくして表示部のサイズをより大きくすることができる。
【００９５】
２８．前記空間部は、前記貯留部の左右方向中央に形成されたことを特徴とする手段２７に記載の遊技機。
手段２８によれば、空間部が貯留部の左右方向中央に形成されているので、貯留部において左右均等な強度を確保することができる。
【００９６】
２９．前記貯留部の全体形状が、前記流入口側と前記供給口側とを両端とし且つ前方側へ湾曲するアーチ状に形成されたことを特徴とする手段２７又は２８に記載の遊技機。
手段２９によれば、貯留部の全体形状が流入口側と供給口側とを両端とし且つ前方側へ湾曲するアーチ状に形成されているので、アーチ形状の内周側部分となる貯留部と本体との間に確実に空間部を形成することができる。
【００９７】
３０．前記表示部は、タッチパネル式ディスプレイからなることを特徴とする手段１乃至２９のいずれかに記載の遊技機。
手段３０に記載の遊技機によれば、表示部がタッチパネル式ディスプレイからなるので、遊技者が指で表示部の表面に触れることによって容易に各種の入力操作を行うことができる。
【００９８】
３１．前記表示部は、液晶ディスプレイからなることを特徴とする手段１乃至３０のいずれかに記載の遊技機。
手段３１に記載の遊技機によれば、表示部が液晶ディスプレイからなるので、高精細で見易い画面表示を行うことができる。
【００９９】
３２．前記表示部は、ＥＬディスプレイからなることを特徴とする手段１乃至３０のいずれかに記載の遊技機。
手段３２に記載の遊技機によれば、表示部がＥＬディスプレイからなるので、高輝度で見易い画面表示を行うことができる。また、ＥＬディスプレイは可撓性を有する材質からなるので、曲面状に配設することにより、外部からの光の写り込みを防止して画面表示の視認をより一層容易とすることができる。
【０１００】
３３．前記表示部は、ＬＥＤディスプレイからなることを特徴とする手段１乃至３０のいずれかに記載の遊技機。
手段３３に記載の遊技機によれば、表示部がＬＥＤディスプレイからなるので、安価な構成で見易い画面表示を行うことができる。
【０１０１】
３４．前記表示部は、前記所定の遊技の実行に関連して画面表示するように構成されたことを特徴とする手段１乃至３３のいずれかに記載の遊技機。
手段３４に記載の遊技機によれば、所定の遊技の実行に関連して画面表示することによって遊技者により注視される表示部の少なくとも一部が、上皿の貯留部と本体との間に形成された空間部内に配設されているので、上皿及び本体側の遊技領域等が視界の中に入って見やすくなるという利点がある。
【０１０２】
３５．前記表示部は、複数の図柄列が変動表示される図柄変動表示装置によって構成されたことを特徴とする手段３４に記載の遊技機。
手段３５に記載の遊技機によれば、遊技者によって注視される複数の図柄列が変動表示される図柄変動表示装置の少なくとも一部が、上皿の貯留部と本体との間に形成された空間部内に配設されているので、上皿及び本体側の遊技領域等が視界の中に入って見やすくなるという利点がある。さらに、図柄変動表示装置の空間部内に配設された部分は、上皿によって当該遊技者以外の視線から遮蔽されるため、例えば、複数の図柄列の停止時の組合せが予め定めた組合わせとなる大当り発生の期待感が高まるリーチ遊技状態等に周囲の遊技者によって表示部を覗き見されて当該遊技者が不快感な気分にさせられることを防止できる。
【０１０３】
３６．前記図柄変動表示装置は、変動表示される複数の図柄列のうち、１つを除く他の図柄列の停止時の組合せが大当り図柄の組合せであるリーチ遊技状態となったときにリーチ演出を実行するように構成されたことを特徴とする手段３５に記載の遊技機。
手段３６に記載の遊技機によれば、図柄変動表示装置の空間部内に配設された部分は、上皿によって当該遊技者以外の視線から遮蔽されるため、大当り発生の期待感が高まるリーチ演出実行時等に周囲の遊技者によって表示部を覗き見されて当該遊技者が不快感な気分にさせられることを防止できる。
【０１０４】
３７．前記表示部は、外部より受信した表示用データに基づいて画面表示を行うように構成されたことを特徴とする手段１乃至３６のいずれかに記載の遊技機。
手段３７に記載の遊技機によれば、表示部は、外部（例えば、ホールサーバ等）より受信した広告宣伝情報、ニュース、お知らせ等に関する表示用データに基づいて各種の情報を画面表示することができる。
【０１０５】
３８．前記表示用データは、インターネット等の通信回線を介して受信されることを特徴とする手段３７に記載の遊技機。
手段３８に記載の遊技機によれば、表示部が、インターネット等の通信回線を介して受信された広告宣伝情報、ニュース、お知らせ等に関する表示用データに基づいて各種の情報を画面表示することができる。
【０１０６】
３９．前記遊技機は、パチンコ遊技機であることを特徴とする手段１乃至３８のいずれかに記載の遊技機。
手段３９によれば、パチンコ遊技機において、本体各部のスペースを充分に確保しつつ、表示部を当該遊技者から視認容易とし且つ周囲の視線から遮蔽可能とすることができる。
【０１０７】
４０．前記上皿は、遊技盤を臨む窓部にガラスを設けたガラス扉枠に取り付けられたことを特徴とする手段３９に記載の遊技機。
手段４０によれば、上皿をガラス扉枠に取り付けたパチンコ遊技機において、本体各部のスペースを充分に確保しつつ、表示部を当該遊技者から視認容易とし且つ周囲の視線から遮蔽可能とすることができる。
【０１０８】
４１．前記上皿は、遊技盤を臨む窓部にガラスが設けられたガラス扉枠の下方にてそのガラス扉枠とは別体で設けられた上皿板に取り付けられたことを特徴とする手段３９に記載の遊技機。
手段４１によれば、上皿をガラス扉枠とは別体の上皿板に取り付けたパチンコ遊技機において、本体各部のスペースを充分に確保しつつ、表示部を当該遊技者から視認容易とし且つ周囲の視線から遮蔽可能とすることができる。
【０１０９】
４２．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段１乃至１８，２７乃至３４，３７又は３８のいずれかに記載の遊技機。
手段４２によれば、パチロット遊技機において、本体各部のスペースを充分に確保しつつ、表示部を当該遊技者から視認容易とし且つ周囲の視線から遮蔽可能とすることができる。
【符号の説明】
【０１１０】
１ パチンコ遊技機（遊技機）
４ ガラス扉枠（開閉枠、本体）
３ 前面枠（本体枠、本体）
４７ 連結部
４８ 起立部
５４ 上皿
５４ａ 貯留部
５４ｂ 底面部
５４ｃ 前壁部
５４ｄ 後壁部
５４ｅ 整流部
５４ｆ，５４ｎ，５４ｐ 直線部
５４ｏ 曲線部
５４ｋ 傾斜壁
５４ｈ 空間部
５４ｌ 流入口
５４ｑ 遮蔽部
５４ｒ 供給口
５４ｕ 凹状輪郭部
５７ 図柄変動表示装置（表示部）
１０１ パチロット遊技機（遊技機）
１２０ 本体枠（本体）
１５４ 上皿
１５４ａ 貯留部
１５４ｂ 底面部
１５４ｃ 前壁部
１５４ｄ 後壁部
１５４ｈ 空間部
１５４ｌ 流入口
１５４ｒ 供給口
１５４ｓ 透明カバー
１５７ 情報表示部（表示部）
１６０ フロントパネル（開閉枠、本体）
１６０ａ 開口部
【図１】
2010162422.tif 000003
【図２】
2010162422.tif 000004
【図３】
2010162422.tif 000005
【図４】
2010162422.tif 000006
【図５】
2010162422.tif 000007
【図６】
2010162422.tif 000008
【図７】
2010162422.tif 000009
【図８】
2010162422.tif 000010
【図９】
2010162422.tif 000011
【図１０】
2010162422.tif 000012
【図１１】
2010162422.tif 000013
【図１２】
2010162422.tif 000014
【図１３】
2010162422.tif 000015
【図１４】
2010162422.tif 000016
【図１５】
2010162422.tif 000017
【図１６】
2010162422.tif 000018
【図１７】
2010162422.tif 000019
【図１８】
2010162422.tif 000020
【図１９】
2010162422.tif 000021
【図２０】
2010162422.tif 000022
【図２１】
2010162422.tif 000023